(57)【要約】【課題】組立及び分解が簡便で、厚さを最小化することができる構造のバックライトアセンブリ及びこれを含む表示装置並びにその製造方法を提供する。【解決手段】導光板と、前記導光板の少なくとも一側に配置され前記導光板に光を供給する光源アセンブリと、底面と該底面から延長され底面を取り囲む第１側壁部とを含んでその収納スペースを規定し、前記導光板と前記光源アセンブリを収納する収納容器と、前記収納スペースの内側に配置され、前記光源アセンブリの上部面を覆う結合部材とを有し、前記光源アセンブリは、前記第１側壁部、前記底面、前記結合部材、及び前記導光板に囲まれて配置され、前記結合部材は、前記底面に実質的に垂直方向に結合される。【選択図】      図１
2010118348.tif 000002
【特許請求の範囲】
【請求項１】
導光板と、
前記導光板の少なくとも一側に配置され前記導光板に光を供給する光源アセンブリと、
床面と該底面から延長され底面を取り囲む第１側壁部とを含んでその収納スペースを規定し、前記導光板と前記光源アセンブリを収納する収納容器と、
前記収納スペースの内側に配置され、前記光源アセンブリの上部面を覆う結合部材とを有し、
前記光源アセンブリは、前記第１側壁部、前記底面、前記結合部材、及び前記導光板に囲まれて配置され、前記結合部材は、前記底面に実質的に垂直方向に結合されることを特徴とするバックライトアセンブリ。
【請求項２】
前記収納容器は、前記第１側壁部から収納容器の内側に延長された第１安着部をさらに含み、
前記結合部材は、第２側壁部及び前記第２側壁部から収納容器の内側に延長された第２安着部をさらに含み、
前記第１安着部と前記第２安着部の上面は互いに同じ高さで一致することを特徴とする請求項１に記載のバックライトアセンブリ。
【請求項３】
前記結合部材は、前記第２側壁部に少なくとも一つの結合突起と前記第２側壁部から延長され前記第１側壁部と並んで形成されたガイド突起とをさらに含み、
前記収納容器は、前記第１側壁部に前記結合突起と結合する結合溝、前記ガイド突起が挿入される第１ガイド溝、及び前記第１安着部のうちの少なくとも一部が湾入されて前記第２安着部の一端部が挿入される第２ガイド溝をさらに含み、
前記結合突起は、前記底面と垂直方向に前記結合溝に結合され、前記底面と水平方向に切断した断面が「Ｔ」字形状で形成されたことを特徴とする請求項２に記載のバックライトアセンブリ。
【請求項４】
前記結合部材は、前記第２側壁部から延長され前記第１側壁部と平行して形成されるガイド突起をさらに含み、
前記収納容器は、前記ガイド突起が挿入される第１ガイド溝と、
前記第１安着部のうちの少なくとも一部が湾入されて前記第２安着部の一端部が挿入される第２ガイド溝とをさらに含むことを特徴とする請求項１に記載のバックライトアセンブリ。
【請求項５】
前記収納容器は、前記導光板と前記光源アセンブリとの間に前記底面から突出して前記導光板が移動することを防止する移動防止突起をさらに含むことを特徴とする請求項１に記載のバックライトアセンブリ。
【請求項６】
前記結合部材は、前記光源アセンブリと対向する面に反射面をさらに含むことを特徴とする請求項１に記載のバックライトアセンブリ。
【請求項７】
前記第１側壁部は、前記光源アセンブリの少なくとも一部が露出する放熱ホールをさらに含むことを特徴とする請求項１に記載のバックライトアセンブリ。
【請求項８】
前記光源アセンブリは、前記第１側壁部に沿って形成された回路基板と該回路基板に実装された発光ダイオードとを含むことを特徴とする請求項１に記載のバックライトアセンブリ。
【請求項９】
画像を表示する表示パネルと、
前記表示パネルに光を供給する光源アセンブリと、
前記光を前記表示パネルにガイドする導光板と、
底面と該底面から延長され底面を取り囲む第１側壁部とを含んでその収納スペースを規定し、前記導光板と前記光源アセンブリを収納する収納容器と、
前記収納スペースの内側に配置され、前記光源アセンブリの上部面を覆う結合部材とを有し、
前記光源アセンブリは、前記第１側壁部、前記底面、前記結合部材、及び前記導光板に囲まれて配置され、前記結合部材は、前記底面に垂直方向に結合されることを特徴とする表示装置。
【請求項１０】
底面と該底面から延長され底面を取り囲む第１側壁部とを含んでその収納スペースを規定する収納容器に導光板と光源アセンブリを収納する段階と、
前記第１側壁部の内側に位置し、前記光源アセンブリの上部面を覆う結合部材を前記収納容器に結合する段階とを有し、
前記光源アセンブリは、前記第１側壁部、前記底面、前記結合部材、及び前記導光板に囲まれて配置され、前記結合部材は、前記底面に垂直方向に結合されることを特徴とする表示装置の製造方法。
【発明の詳細な説明】
【技術分野】
【０００１】
本発明は、バックライトアセンブリ及びこれを含む表示装置並びにその製造方法に関し、より詳細には組立及び分解が簡便で、厚さを最小化することができる構造を有するバックライトアセンブリ及びこれを含む表示装置並びにその製造方法に関するものである。
【背景技術】
【０００２】
表示装置（Ｌｉｑｕｉｄ  Ｃｒｙｓｔａｌ  Ｄｉｓｐｌａｙ：ＬＣＤ）は、現在最も広く使われているフラットパネル表示装置（Ｆｌａｔ  Ｐａｎｅｌ  Ｄｉｓｐｌａｙ：ＦＰＤ）のうち一つであって、電極が形成されている２枚の基板とその間に挿入されている液晶層からなる液晶パネルを含み、電極に電圧を印加して液晶層の液晶分子を再配列させることによって透過する光の量を調節して画像を表示する装置である。
【０００３】
このような表示装置に使われる液晶パネルは非発光素子であるため、画像を表示するためには発光素子である光源を含むバックライトアセンブリをさらに含まなければならない。バックライトアセンブリは、表示パネルの後面から光を照射し、表示パネル全体に概ね均一に面光源として作用するようにさせる。このようなバックライトアセンブリは、光を放射する光源の位置によって直下型とエッジ型に区分される。直下型は、光源を表示パネルの真下に位置させる方式であり、エッジ型は、光源を側面に位置させて導光板を利用して光を表示パネル全体に光を伝達させる方式である。
【０００４】
特に、エッジ型バックライトアセンブリは、導光板の側部に配置される光源を囲みつつ、光を反射させることができるランプカバーが必要とされるが、このようなランプカバーは通常別途の部品で構成されるか収納容器と一体で形成される。このとき、ランプカバーを別途の部品で構成する場合、導光板、ランプ及びランプカバーを収納するための収納構造が必要になり、ランプカバーを収納容器と一体で形成する場合には導光板とランプの結合のために収納容器を分割して形成しなければならないなどの問題が生じている。
【０００５】
したがって、導光板と光源の結合構造が簡便でかつ容易に結合及び分解が可能であり、部品の数を最小化できる構造が必要になってきている。
【先行技術文献】
【特許文献】
【０００６】
【特許文献１】韓国特許出願公開第２００７−０００８７６号明細書
【発明の概要】
【発明が解決しようとする課題】
【０００７】
そこで、本発明は上記従来のバックライトアセンブリにおける問題点に鑑みてなされたものであって、本発明の目的は、組立及び分解が簡便で、厚さを最小化することができる構造のバックライトアセンブリを提供するものである。
【０００８】
また、本発明の他の目的は、組立及び分解が簡便で、厚さを最小化することができる構造のバックライトアセンブリを含む表示装置及びその製造方法を提供するものである。
【課題を解決するための手段】
【０００９】
上記目的を達成するためになされた本発明によるバックライトアセンブリは、導光板と、前記導光板の少なくとも一側に配置され前記導光板に光を供給する光源アセンブリと、底面と該底面から延長され底面を取り囲む第１側壁部とを含んでその収納スペースを規定し、前記導光板と前記光源アセンブリを収納する収納容器と、前記収納スペースの内側に配置され、前記光源アセンブリの上部面を覆う結合部材とを有し、前記光源アセンブリは、前記第１側壁部、前記底面、前記結合部材、及び前記導光板に囲まれて配置され、前記結合部材は、前記底面に実質的に垂直方向に結合されることを特徴とする。
【００１０】
上記目的を達成するためになされた本発明による表示装置は、画像を表示する表示パネルと、前記表示パネルに光を供給する光源アセンブリと、前記光を前記表示パネルにガイドする導光板と、底面と該底面から延長され底面を取り囲む第１側壁部とを含んでその収納スペースを規定し、前記導光板と前記光源アセンブリを収納する収納容器と、前記収納スペースの内側に配置され、前記光源アセンブリの上部面を覆う結合部材とを有し、前記光源アセンブリは、前記第１側壁部、前記底面、前記結合部材、及び前記導光板に囲まれて配置され、前記結合部材は、前記底面に垂直方向に結合されることを特徴とする。
【００１１】
上記目的を達成するためになされた本発明による表示装置の製造方法は、底面と該底面から延長され底面を取り囲む第１側壁部とを含んでその収納スペースを規定する収納容器に導光板と光源アセンブリを収納する段階と、前記第１側壁部の内側に位置し、前記光源アセンブリの上部面を覆う結合部材を前記収納容器に結合する段階とを有し、前記光源アセンブリは、前記第１側壁部、前記底面、前記結合部材、及び前記導光板に囲まれて配置され、前記結合部材は、前記底面に垂直方向に結合されることを特徴とする。
【発明の効果】
【００１２】
本発明に係るバックライトアセンブリ及びこれを含む表示装置並びにその製造方法によれば、組立及び分解が簡便で、厚さを最小化することができるバックライトアセンブリ及び表示装置を作製できるという効果がある。
【図面の簡単な説明】
【００１３】
【図１】本発明の第１の実施形態による表示装置の分解斜視図である。
【図２】図１に示す表示装置をＡ−Ａ’線に沿って切断した断面図である。
【図３】図１に示す表示装置に含まれる収納容器、光源アセンブリ及び結合部材の分解斜視図である。
【図４】図１に示す表示装置に含まれる光源アセンブリの背面を示す部分斜視図である。
【図５】図１に示す表示装置に含まれる結合部材の部分斜視図である。
【図６】収納容器と結合部材の結合の部分を説明するための部分斜視図である。
【図７】光源アセンブリが結合された収納容器を示す平面図である。
【図８】光源アセンブリが結合された収納容器の部分斜視図である。
【図９】結合部材が結合された収納容器の部分斜視図である。
【図１０】本発明の第２の実施形態による表示装置の斜視図である。
【図１１】図１０に示す表示装置をＢ−Ｂ’線に沿って切断した断面図である。
【図１２】本発明の第３の実施形態による表示装置に含まれる収納容器、光源アセンブリ及び結合部材の分解斜視図である。
【図１３】本発明の第３の実施形態による表示装置の断面図である。
【図１４】本発明の第４の実施形態による表示装置に含まれる収納容器、光源アセンブリ及び結合部材の分解斜視図である。
【図１５】図１４に示す収納容器、光源アセンブリ及び結合部材の部分拡大図である。
【図１６】図１４に示す収納容器の部分斜視図である。
【図１７】本発明の第４の実施形態による表示装置の断面図である。
【発明を実施するための形態】
【００１４】
次に、本発明に係るバックライトアセンブリ及びこれを含む表示装置並びにその製造方法を実施するための最良の形態の具体例を図面を参照しながら説明する。
【００１５】
本発明の利点、特徴、およびそれらを達成する方法は、添付する図面と共に詳細に後述される実施形態を参照すれば明確になるであろう。しかし、本発明は、以下で開示する実施形態に限定されるものではなく、互いに異なる多様な形態で具現されることが可能である。本実施形態は、単に本発明の開示が完全になるように、本発明が属する技術分野で通常の知識を有する者に対して発明の範疇を完全に知らせるために提供されるものであり、本発明は、請求項の範疇によってのみ定義される。なお、明細書全体にかけて、同一の参照符号は同一の構成要素を指すものとする。
【００１６】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示しているように、一つの素子または構成要素と異なる素子または構成要素との相関関係を容易に記述するために使用されてもよい。空間的に相対的な用語は、図面に示されている方向に加えて、使用時または動作時における素子の互いに異なる方向を含む用語として理解されなければならない。
【００１７】
以下、図１及び図２を参照して本発明の第１の実施形態による表示装置について詳細に説明する。
図１は、本発明の第１の実施形態による表示装置の分解斜視図であり、図２は、図１に示す表示装置をＡ−Ａ’線に沿って切断した断面図である。
【００１８】
本発明の第１の実施形態による表示装置１は表示パネル２０及びバックライトアセンブリを含む。
また、表示パネル２０は、画像を表示する役割をするものであって、下部表示板２１、上部表示板２２及び二つの表示板の間に介在する液晶層（図示せず）を含む。
【００１９】
下部表示板２１は、ゲートライン（図示せず）、データライン（図示せず）、薄膜トランジスタアレイ、画素電極などを含み、上部表示板２２は、カラーフィルター、ブラックマトリックス（ｂｌａｃｋ  ｍａｔｒｉｘ）、共通電極などを含む。ここで、カラーフィルター、共通電極などは下部表示板２１上に形成されてもよい。
【００２０】
バックライトアセンブリは、光学シート３０、導光板４０、反射シート５０、光源アセンブリ８０、収納容器６０及び結合部材７０を含む。
【００２１】
上部カバー１０は、表示装置の外観を形成し、内部に表示パネル２０が収納される空間が形成されている。このような上部カバー１０の中央部には表示パネル２０を外部に露出させる開放窓が形成されている。
【００２２】
上部カバー１０は収納容器６０と結合される。上部カバー１０と収納容器６０との間には光学シート３０、導光板４０、反射シート５０及び光源アセンブリ８０を収納し、さらに、光源アセンブリ８０の上部から収納容器６０に結合する結合部材７０を含む。
【００２３】
光源アセンブリ８０は、表示パネル２０に光を供給する役割をし、光を放射する光源８２と光源８２が実装される回路基板８１を含む。
光源８２は、光を発光する一つ以上の発光ダイオード（Ｌｉｇｈｔ  Ｅｍｉｔｔｉｎｇ  Ｄｉｏｄｅ：ＬＥＤ）を含み得る。このような光源８２は、回路基板８１に一定の間隔に連続的に配置され得る。
【００２４】
あるいは、光源８２は、発光ダイオードのような点光源の形態だけでなく、蛍光ランプのような線形光源形態のランプを使用し得る。ここで、光源で使用されるランプとしては、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）、熱陰極蛍光ランプ（Ｈｏｔ  Ｃａｔｈｏｄｅ  Ｆｌｕｏｒｅｓｃｅｎｔ  Ｌａｍｐ：ＨＣＦＬ）、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ）などが使用され得る。
【００２５】
図１に示すように、エッジ型バックライトアセンブリの場合、光源アセンブリ８０は導光板４０の側面に一つ以上設置することができる。すなわち、光源アセンブリ８０は、導光板４０の一側面に形成され得、必要に応じて導光板４０の両側面に互いに対向するように形成され得る。また、これに限定されず導光板４０の三側面に配置されるか四側面に配置されてもよい。このような光源アセンブリ８０の配置は、導光板４０の出光面の輝度または均一度などを考慮して多様に変形することができる。
【００２６】
導光板４０は、光源アセンブリ８０から供給される光を表示パネル２０に案内する役割を果たす。導光板４０は、ＰＭＭＡ（ｐｏｌｙｍｅｔｈｙｍｅｔｈａｃｒｙｌａｔｅ）のようなプラスチック系列の透明な物質のパネルで形成されて、光源８２から発生した光を導光板４０の上部に位置する表示パネル２０側に進行させるようにする。したがって、導光板４０の底面には導光板４０内部に入射した光の進行方向を表示パネル２０側に変更させるための各種パターンが印刷されて形成され得る。
【００２７】
光学シート３０は、導光板４０の上部に設置されて導光板４０から伝達された光を拡散して集光する役割を果たす。光学シート３０は、拡散シート、プリズムシート、保護シートのうち一つ以上で形成され得、または拡散シート、プリズムシート、保護シートの機能をすべて実行できる複合的な機能を有する光学シート３０で形成され得る。すなわち、光学シート３０は、下部に拡散機能を有するように形成し、上部にはプリズムパターン（図示せず）を形成し、プリズムパターンの上に保護層（図示せず）を形成することができる。このような光学シート３０は一つで拡散機能およびプリズム機能をすべて含んでおり、構成要素を減らすことができ、さらにスリムな表示装置を実現することができる。
【００２８】
反射シート５０は、導光板４０の下部に設置されて導光板４０の下部に放射される光を上方へ反射させる。反射シート５０は、導光板４０の下部に位置し、導光板４０の底面に形成された微細なドットパターンによって反射しない光を再び導光板４０の出射面側に反射させることによって、表示パネル２０に入射する光の損失を減らすと共に導光板４０の出光面に透過する光の均一度を向上させる役割を果たす。
【００２９】
収納容器６０は、内部に光学シート３０、導光板４０、反射シート５０及び光源アセンブリ８０を収納し、結合部材７０が結合される。収納容器６０と結合部材７０の上面には表示パネル２０が安着される。
【００３０】
以下、図３〜図９を参照して収納容器６０、光源アセンブリ８０および結合部材７０について詳細に説明する。
図３は、図１に示す表示装置に含まれる収納容器、光源アセンブリ及び結合部材の分解斜視図であり、図４は、図１に示す表示装置に含まれる光源アセンブリの背面を示す部分斜視図であり、図５は、図１に示す表示装置に含まれる結合部材の部分斜視図であり、図６は、収納容器と結合部材の結合の部分を説明するための部分斜視図であり、図７は、光源アセンブリが結合された収納容器を示す平面図であり、図８は、光源アセンブリが結合された収納容器の部分斜視図であり、図９は、結合部材が結合された収納容器の部分斜視図である。
【００３１】
先ず、図３〜図５を参照すると、収納容器６０は、第１側壁部６２、第１安着部６３、底面６１、第１ガイド溝６９及び第２ガイド溝６５を含む。具体的には、収納容器６０は、長方形形状の縁に沿って形成された第１側壁部６２を含み、第１側壁部６２の下部は底面６１によって互いに連結されている。このような収納容器６０は、底面６１と底面６１から延長された四つの第１側壁部６２によって形成された収納空間を含む。
【００３２】
このような収納容器６０は、射出成型などの方式で形成され得、第１側壁部６２と底面６１は一体で形成され得る。
収納容器６０は、内部に光学シート３０、導光板４０、光源アセンブリ８０及び反射シート５０などを収納する役割をするだけではなく、表示装置の骨格を形成し、剛性を維持する役割を果たす。このような収納容器６０は、第１側壁部６２の内側に第１安着部６３が延長されている。
【００３３】
第１安着部６３上には、表示パネル２０（図１参照）が安着され、四つの第１側壁部６２のうち光源アセンブリ８０と隣接する第１側壁部６２を除く残りの第１側壁部６２のうち少なくとも一つに形成され得る。例えば、四つの第１側壁部６２のうち光源アセンブリ８０と隣接する第１側壁部６２を除く三つの第１側壁部６２に形成され得、四つの第１側壁部６２のうち光源アセンブリ８０と隣接する第１側壁部６２と光源アセンブリ８０と対向する第１側壁部６２を除く残りの二つの第１側壁部６２に形成され得る。
【００３４】
第１安着部６３は、上面が表示パネル２０と接し、側面は、導光板４０と接するように形成され得る。このとき、底面６１から第１安着部６３の上面までの高さは少なくとも導光板４０の厚さより高く形成され得る。
【００３５】
また、第１安着部６３は表示パネル２０の縁に形成された非表示領域（図示せず）と重なるように形成することができる。すなわち、第１安着部６３の幅は表示パネル２０の非表示領域の幅に応じて調節され得る。例えば、表示パネル２０の縁にゲート駆動部（図示せず）が実装された場合、第１安着部６３とゲート駆動部は互いに重なるように形成され得る。
【００３６】
本実施形態では、互いに対向する一対の第１安着部６３との間に導光板４０が挿入され得る。導光板４０は、第１安着部６３の間に挿入されることによって、導光板４０が第１安着部６３の間で移動（可動）するのを防止することができる。
【００３７】
また、導光板４０が光源アセンブリ８０の方向に移動することを防止するために収納容器６０は底面６１から突出した移動防止突起６４を含む。このような移動防止突起６４は導光板４０と光源アセンブリ８０との間に配置される。
移動防止突起６４は、第１安着部６３の側部から突出して導光板４０の隅が固定されるように形成され得る。
【００３８】
このような移動防止突起６４は、導光板４０の隅が位置する部分に限定されて形成される必要はなく、必要に応じて導光板４０の側面に位置するように形成され得る。このとき、移動防止突起６４は、光源８２と重ならないように配置して導光板４０に入射する光が移動防止突起６４によって妨害されないようにするのが好ましい。
移動防止突起６４の高さは第１安着部６３の高さより低く形成することができ、導光板４０が固定できる最小限の高さで形成することができる。
【００３９】
光源アセンブリ８０は、回路基板８１、光源８２及び、可撓性印刷回路８３を含む。光源８２は前述したように点光源である発光ダイオードで形成され得、回路基板８１上に所定の間隔に配置することができる。
回路基板８１は、第１側壁部６２に沿って長く形成され、導光板４０の一側面の長さと厚さより大きく形成され得る。このような回路基板８１は、一面に光源８２が実装され、他面は第１側壁部６２に接するように配置され得る。回路基板８１には配線パターン（図示せず）が形成されており、各光源８２に電源を供給する。このとき、光源８２が実装される回路基板８１の一面には光の反射率を高めるための反射物質が塗布され得る。
【００４０】
そして、回路基板８１の一面または他面には回路基板８１に電源を供給する可撓性印刷回路８３が付着される。可撓性印刷回路８３は、薄くて柔軟な材質で形成されて収納容器６０の第１側壁部６２または底面６１に沿って屈曲され得る。このような可撓性印刷回路８３は、収納容器６０の一側に形成された開口部（図示せず）を通じて外部に延長され得る。
【００４１】
結合部材７０は、光源アセンブリ８０を固定し、光源アセンブリ８０から放射される光が導光板４０に入射されるように光が外部に漏れることを防止する役割を果たす。このような、結合部材７０は、収納容器６０の第１側壁部６２の内側に位置し、光源アセンブリ８０の上部を覆う。
結合部材７０は、収納容器６０と同様に射出成型などの方法で形成することができ、収納容器６０と同一の材質で共に形成することができる。
【００４２】
結合部材７０が光源アセンブリ８０の上部を覆うことによって、光源アセンブリ８０は、その四側面が第１側壁部６２、底面６１、結合部材７０及び導光板４０によって囲まれる形態に配置され得る。具体的には、光源アセンブリ８０の下部には底面６１と隣接して、光源８２は、導光板４０と隣接するように配置され、回路基板８１は第１側壁部６２に密着するように配置される。また、光源アセンブリ８０の上部には結合部材７０が配置される。
【００４３】
このとき、光源アセンブリ８０と底面６１との間には反射シート５０が介在され得、回路基板８１の一面には反射物質が塗布される。そして、結合部材７０は光源アセンブリ８０と対向する面に反射面７５を含み得る。このような反射面７５は光源８２から放射される光を大部分導光板４０にガイドする役割をし、収納容器６０外部に光が漏れることを防止する。例えば、反射面７５は、結合部材７０の下面には回路基板８１と同様に光の反射率を高めるための反射物質が塗布され得る。
【００４４】
結合部材７０は、第２側壁部７２と第２側壁部７２から延長された第２安着部７１を含む。このような第２安着部７１はその上面に表示パネル２０が安着され、下面には光源アセンブリ８０が配置される。第１安着部６３と第２安着部７１の上面は表示パネル２０が安定して固着できるように互いに一致するように形成され得る。
結合部材７０は、第２側壁部７２から延長され第１側壁部６２と並んで形成されたガイド突起７３を含む。ガイド突起７３は、光源アセンブリ８０の回路基板８１より厚く形成され得、収納容器６０の第１ガイド溝６９に挿入される。
【００４５】
第１ガイド溝６９は、収納容器６０の第１側壁部６２に沿って形成され得、光源アセンブリ８０の回路基板８１が挿入される通路になり、結合部材７０のガイド突起７３が結合され、結合部材７０を収納容器６０に固定することができる。このとき、第２側壁部７２は第１側壁部６２の上面と一致するように形成され得る。
【００４６】
結合部材７０は、一端部にガイド突起７３が形成されて第１ガイド溝６９に挿入され、他端部は収納容器６０の第２ガイド溝６５に挿入される。第２ガイド溝６５は、第１安着部６３のうち少なくとも一部が湾入されて形成され得る。このとき、第２ガイド溝６５の深さは第２安着部７１の厚さと同じとなるように形成する。したがって、結合部材７０の第２安着部７１が第２ガイド溝６５に結合され、第１安着部６３と第２安着部７１の上面は互いに一致するようになる。
【００４７】
図６を参照して収納容器の第１側壁部６２と結合部材７０の第２側壁部７２の結合を説明する。
結合部材７０は、第２側壁部７２に少なくとも一つの結合突起７４を含む。このような結合突起７４は収納容器６０の第１側壁部６２に形成された結合溝６６と結合する。
【００４８】
結合部材７０は、底面６１と垂直方向に収納容器６０に結合され、結合突起７４もやはり底面６１と垂直方向に結合溝６６に挿入される。このような結合突起７４と結合溝６６は結合部材７０が底面６１に対し水平方向に移動することを防止する。
【００４９】
結合突起７４は、結合溝６６に挿入されて底面６１に対し水平方向に移動することを防止できる多様な形状で形成され得る。例えば、結合突起７４は底面と水平となるように切断した断面が「Ｔ」字形状で形成され得る。
【００５０】
図７〜図９を参照して収納容器６０、光源アセンブリ８０及び結合部材７０の結合について説明する。
光源アセンブリ８０は、収納容器６０の第１側壁部６２に密着して配置される。このとき、光源アセンブリ８０の回路基板８１は、移動防止突起６４と第１側壁部６２との間に固定され得る。光源アセンブリ８０の側面には導光板４０が共に収納される。
【００５１】
また、収納容器６０の底面６１には図６に示すように回路基板８１が挿入される基板挿入溝６７が形成される。基板挿入溝６７は、回路基板８１の側部のうち一部が挿入されて回路基板８１が第１側壁部６２に密着できるようにする。
【００５２】
収納容器６０に光源アセンブリ８０及び導光板４０が挿入されて、結合部材７０が底面６１と垂直方向に収納容器６０に挿入されることによって、光源アセンブリ８０が収納容器６０に固定される。
【００５３】
以下、図１０及び図１１を参照して本発明の第２の実施形態による表示装置について詳細に説明する。
図１０は、本発明の第２の実施形態による表示装置の斜視図であり、図１１は、図１０に示す表示装置をＢ−Ｂ’線に沿って切断した断面図である。説明の便宜上、第１の実施形態の図面に示す各部材と同一の機能を有する同一の部材は同一符号で示し、したがって、その説明は省略する。
【００５４】
本発明の第２の実施形態による表示装置は、光源アセンブリ８０から発生する熱を効果的に放出するための放熱パッド１５を含む。
放熱パッド１５は、上部カバー１０と収納容器６０の少なくとも一部と接触して熱伝導特性を利用して上部カバー１０および収納容器６０の熱を外部に放出することができる。このような放熱パッド１５は、熱伝導特性が優秀な金属薄膜で形成され得る。
【００５５】
放熱パッド１５は、結合部材７０、第１側壁部６２及び底面６１の少なくとも一部を囲むように形成することができる。このとき、放熱パッド１５は、結合部材７０第１側壁部６２及び底面６１に直接接するように配置することができ、上部カバー１０を介して上部カバー１０に付着する。
光源８２から発生する熱量に従って放熱パッド１５の面積と位置を調節して配置することができる。
【００５６】
以下、図１２及び図１３を参照して本発明の第３の実施形態による表示装置について詳細に説明する。
図１２は、本発明の第３の実施形態による表示装置に含まれる収納容器、光源アセンブリ及び結合部材の分解斜視図であり、図１３は、本発明の第３の実施形態による表示装置の断面図である。
説明の便宜上、第１の実施形態の図面に示す各部材と同一の機能を有する同一部材は、同一の符号で示し、したがって、その説明は省略する。
【００５７】
本発明の第３の実施形態による表示装置は、光源アセンブリ（８０、８０’）と結合部材（７０、７０’）が導光板４０の両側に各々配置される。表示装置は、平板型導光板４０を使用したものであって、光源アセンブリ（８０、８０’）が導光板４０を介して互いに対向して配置される。
【００５８】
収納容器６０は、内部に光学シート３０、導光板４０、反射シート５０、第１光源アセンブリ８０及び第２光源アセンブリ８０’を収納する。上述したように、第１光源アセンブリ８０及び第２光源アセンブリ８０’は、収納容器６０に底面６１と垂直方向に挿入され、第１光源アセンブリ８０及び第２光源アセンブリ８０’の上部には各々第１結合部材７０及び第２結合部材７０’が結合される。
【００５９】
このとき、第１結合部材７０及び第２結合部材７０’は、底面６１に垂直方向に収納容器６０が結合される。
収納容器６０、第１結合部材７０及び第２結合部材７０’によって形成される第１安着部６３と第２安着部７１の上に表示パネル２０が安着される。
【００６０】
以下、図１４〜図１７を参照して本発明の第４の実施形態による表示装置について詳細に説明する。
図１４は、本発明の第４の実施形態による表示装置に含まれる収納容器、光源アセンブリ及び結合部材の分解斜視図であり、図１５は、図１４に示す収納容器、光源アセンブリ及び結合部材の部分拡大図であり、図１６は、図１４に示す収納容器の部分斜視図であり、図１７は、本発明の第４の実施形態による表示装置の断面図である。
説明の便宜上、第１の実施形態の図面に示す各部材と同一の機能を有する同一の部材は同一符号で示し、したがって、その説明は省略する。
【００６１】
先ず、図１４及び図１５を参照すると、本発明の第４の実施形態による表示装置は光源アセンブリ８０で発生する熱を効果的に放出するための放熱ホール６８を含む。表示装置は、導光板４０の少なくとも一側に光源アセンブリ８０が配置され、導光板４０と光源アセンブリ８０は収納容器６０に挿入される。導光板４０と光源アセンブリ８０は結合部材７０によって固定される。
【００６２】
また、光源アセンブリ８０は、その四側面が導光板４０、結合部材７０、底面６１及び第１側壁部６２に囲まれて配置される。このとき、光源アセンブリ８０は使用される光源８２の種類及び容量などに応じた熱が発生する。光源アセンブリ８０から発生する熱は、表示パネル２０の正常な駆動に影響を与え、表示パネル２０の表示品質を低下させることがある。したがって、光源アセンブリ８０から発生する熱を効果的に放出するために第１側壁部６２に放熱ホール６８を形成する。
【００６３】
図１６を参照すると、放熱ホール６８は光源アセンブリ８０の回路基板８１のうち少なくとも一部が収納容器６０の外部に露出するようにして熱が直接収納容器６０の外部に放出されるようにする。放熱ホール６８は、第１側壁部６２の一部を開放（開口）して形成することができ、回路基板８１が第１側壁部６２の外側に突出するように形成する必要はない。
【００６４】
光源８２から発生する熱は回路基板８１を伝達し、回路基板８１は、外部空気と直接接触することによって熱を外部に直接発散する。このとき、上部カバー１０は、放熱ホール６８と重畳される部分を除去して開口部（図示せず）を形成することができる。
【００６５】
図１７を参照すると、収納容器６０に放熱ホール６８を形成すると共に収納容器６０の外側に放熱パッド１５を共に形成して放熱効率を極大化させることができる。ただし、放熱ホール６８と放熱パッド１５は、必ず同時に使用される必要はなく、必要に応じて選択的に付加することができるものである。
【００６６】
また、放熱ホール６８のサイズは光源アセンブリ８０の回路基板８１の幅より小さく形成することが好ましい。放熱ホール６８は、光源アセンブリ８０の熱が放出されることで充分であり、放熱ホール６８は回路基板８１によって完全に重畳され光源８２から発生する光が漏れないようにすることが好ましい。
【００６７】
尚、本発明は、上述の実施形態に限られるものではない。本発明の技術的範囲から逸脱しない範囲内で多様に変更実施することが可能である。
【産業上の利用可能性】
【００６８】
本発明に係る表示装置は、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）、携帯用ＤＶＤ（Ｄｉｇｉｔａｌ  Ｖｅｒｓａｔｉｌｅ  Ｄｉｓｋ）プレーヤ、携帯電話（ｃｅｌｌｕｌａｒ  ｐｈｏｎｅ）などに好適に使用されうる。
【符号の説明】
【００６９】
１０    上部カバー
１５    放熱パッド
２０    表示パネル
２１    下部表示板
２２    上部表示板
３０    光学シート
４０    導光板
５０    反射シート
６０    収納容器
６１    底面
６２    第１側壁部
６３    第１安着部
６４    移動防止突起
６５    第２ガイド溝
６６    結合溝
６７    基板挿入溝
６９    第１ガイド溝
７０、７０’    （第１及び第２）結合部材
７１    第２安着部
７２    第２側壁部
７３    ガイド突起
７４    結合突起
７５    反射面
８０、８０’    （第１及び第２）光源アセンブリ
８１    回路基板
８２    光源
８３    可撓性印刷回路
【図１】
2010118348.tif 000003
【図２】
2010118348.tif 000004
【図３】
2010118348.tif 000005
【図４】
2010118348.tif 000006
【図５】
2010118348.tif 000007
【図６】
2010118348.tif 000008
【図７】
2010118348.tif 000009
【図８】
2010118348.tif 000010
【図９】
2010118348.tif 000011
【図１０】
2010118348.tif 000012
【図１１】
2010118348.tif 000013
【図１２】
2010118348.tif 000014
【図１３】
2010118348.tif 000015
【図１４】
2010118348.tif 000016
【図１５】
2010118348.tif 000017
【図１６】
2010118348.tif 000018
【図１７】
2010118348.tif 000019